(57)【特許請求の範囲】
【請求項１】
上面を植生面に形成するように多孔質素材を板状に成型した培地基盤と、この培地基盤の上面への日照や通風を遮るための突出体を備え、
前記突出体を多孔質素材により形成させると共に、この突出体を前記培地基盤の辺、又は角部、又は植生面上に立設させて、コケ植物を培地基盤から突出体に連なって繁殖させるように形成したことを特徴としたコケ植生体。
【請求項２】
請求項１記載のコケ植生体において、突出体が培地基盤と別部材に形成されているコケ植生体。
【請求項３】
請求項１記載のコケ植生体において、突出体が培地基盤と一体に形成されているコケ植生体。
【請求項４】
周囲が立壁により囲まれた培地用容器に上面を植生面に形成するように培地材を収容して形成した培地基盤と、この培地基盤の上面への日照や通風を遮るための突出体を備え、
前記突出体を多孔質素材により形成させると共に、この突出体を前記培地基盤の辺、又は角部、又は植生面上に立設させて、コケ植物を培地基盤から突出体に連なって繁殖させるように形成したことを特徴としたコケ植生体。
【請求項５】
請求項４記載のコケ植生体において、突出体が培地基盤と別部材に形成されているコケ植生体。
【請求項６】
請求項４記載のコケ植生体において、突出体が培地用容器の立壁と一体に形成されているコケ植生体。
【請求項７】
請求項１〜６のいずれかに記載のコケ植生体において、突出体が壁体であるコケ植生体。
【請求項８】
請求項１〜６のいずれかに記載のコケ植生体において、突出体が柱体であるコケ植生体。
【請求項９】
請求項１〜８のいずれかに記載のコケ植生体において、突出体の上面に土壌用ポット穴が形成されているコケ植生体。
【発明の詳細な説明】
【０００１】
【発明の属する技術分野】
本発明は、表面にコケ植物を栽培させるためのコケ植生体に関する。
【０００２】
【従来の技術】
従来、表面にコケ植物を栽培させるためのコケ植生体としては、種々のものが提案されている（例えば、特許文献１参照）。
【０００３】
【特許文献１】
特開平９−３０８３１７号公報（特願平８−１２８５４３号）
【０００４】
【発明が解決しようとする課題】
しかしながら、これら従来のものは、いずれもコケ植生体が平面的な培地基盤だけで形成されたものであった。
【０００５】
コケ植物は、自然界において、塀、手すり、フェンス、樹木、石、家屋等の障害物によって日照や通風が遮られ、半日陰で風が澱んだような場所で緻密に繁殖しているのが多く見受けられる。
このように、コケ植物の育成環境としては、半日陰で風が澱んだような場所が好適であるといえるもので、本発明では、このようなコケ植物に適した育成環境を培地基盤に実現させ、コケ植物を良好に栽培させることができるようにしたコケ植生体を提供することを課題としている。
【０００６】
【課題を解決するための手段】
上記課題を解決するために、本発明（請求項１）のコケ植生体は、上面を植生面に形成するように多孔質素材を板状に成型した培地基盤と、この培地基盤の上面（植生面）への日照や通風を遮るための突出体を備え、前記突出体を多孔質素材により形成させると共に、この突出体を前記培地基盤の辺、又は角部、又は植生面上に立設させて、コケ植物を培地基盤から突出体に連なって繁殖させるように形成した構成とした。
【０００７】
上記請求項１記載のコケ植生体において、突出体が培地基盤と別部材に形成されている態様（請求項２）がある。
【０００８】
上記請求項１記載のコケ植生体において、突出体が培地基盤と一体に形成されている態様（請求項３）がある。
【０００９】
又、本発明（請求項４）のコケ植生体は、周囲が立壁により囲まれた培地用容器に上面を植生面に形成するように培地素材を収容して形成した培地基盤と、この培地基盤の上面への日照や通風を遮るための突出体を備え、前記突出体を多孔質素材により形成させると共に、この突出体を前記培地基盤の辺、又は角部、又は植生面上に立設させて、コケ植物を培地基盤から突出体に連なって繁殖させるように形成した構成とした。
【００１０】
上記請求項４記載のコケ植生体において、突出体が培地基盤と別部材に形成されている態様（請求項５）がある。
【００１１】
上記請求項４記載のコケ植生体において、突出体が培地用容器の立壁と一体に形成されている態様（請求項６）がある。
【００１２】
又、上記請求項１〜６のいずれかに記載のコケ植生体において、突出体が壁体（フェンスを含む）である態様（請求項７）がある。
【００１３】
上記請求項１〜６のいずれかに記載のコケ植生体において、突出体が柱体である態様（請求項８）がある。
【００１４】
上記請求項１〜８のいずれかに記載のコケ植生体において、突出体の上面に土壌用ポット穴が形成されている態様（請求項９）がある。
【００１５】
【発明の実施の形態】
以下、本発明の実施の形態を図面に示す実施例より説明する。
図１は第１実施例のコケ植生体Ａを示す斜視図である。
このコケ植生体Ａは、培地基盤１と突出体２を備え、突出体２が培地基盤１と別部材に形成されている。
前記培地基盤１は、多孔質素材によって縦幅２６ｃｍ、横幅２６ｃｍ、厚さ６ｃｍの正方形の板状に成型され、その上面が植生面１０に形成されている。
前記突出体２は、前記培地基盤１の植生面１０となる上面への日照や通風を遮るためのもので、多孔質素材によって横幅２６ｃｍ（又は３０ｃｍ）、厚さ４ｃｍ、高さ１５ｃｍの壁体２０に成型され、前記培地基盤１の辺に沿って立設させるようにしている。
なお、本発明の多孔質素材としては、軽量コンクリートのほか、ケイ石、ボラ土、ゼオライト、珪藻土、パーライト、人工の軽量骨材を用い、これらをセメント、でんぷん糊、合成接着剤、粘土等で板状に固めて成型するようにしている。
【００１６】
次に、図２は前記コケ植生体Ａの施工例を示す平面図である。
コケ植生体Ａを施工するに際しては、例えば、図２に示すように、培地基盤１の四方の辺に沿って壁体２０を立設させながら、多数のコケ植生体Ａを敷き詰めていくもので、これにより、培地基盤１の四方を壁体２０で囲むようにしている。
なお、隣り合うコケ植生体Ａ，Ａにおいて、培地基盤１，１の間に立設された壁体２０は、両方のコケ植生体Ａ，Ａの突出体２，２として兼用されている。
そして、培地基盤１上にコケ植物を手撒き或いは育苗用シート等を利用して播種し、栽培していくもので、このとき、培地基盤１が多孔質素材で成型されているため、雨水や人工散水による水分を保水することができ、コケ植物の生育に必要な水分を確保できる。
【００１７】
次に、図３及び図４は前記コケ植生体の作用説明図である。
図３に示すように、日照Ｓに対して、これを壁体２０が遮ることになるため、培地基盤１の上面に形成した植生面１０及び壁体２０の立面に日陰を生じさせることができる。なお、図３において、平行斜線部は、日陰を示している。
この場合、図３（イ）、（ロ）、（ハ）のように、時間の経過と共に、日陰の長さが変化したり、また、日陰の方向が変化することになる。
又、図４に示すように、風Ｗを壁体２０によって遮ることになるため、培地基盤１の植生面１０及び壁体２０の内側に澱みＷ１を生じさせることができる。
このように、培地基盤１の植生面１０及び壁体２０の立面に日陰が生じると共に、風の澱みが生じるため、培地基盤１及び壁体２０の乾燥を抑制し、湿潤で半日陰の状態、即ち、自然界でコケ植物が繁殖している環境を培地基盤１の植生面１０や壁体２０の立面に出現させることができる。
なお、日照方向は、北半球では、東、南、西へと変化することになるが、少なくとも二方向からの日照を遮るように、壁体２０を培地基盤１の２辺に立設させるのが好ましい。
【００１８】
次に、図５〜図８はコケ植生体の他例（第２実施例から第５実施例）を示す斜視図である。
図５で示す第２実施例のコケ植生体Ｂでは、突出体２として培地基盤１とは別部材の壁体２０が用いられ、この壁体２０を培地基盤１の植生面１０上に立設したものである。
図６で示す第３実施例のコケ植生体Ｃでは、突出体２として培地基盤１とは別部材の複数個（３個）の壁体２０，２０，２０が用いられ、これらの壁体２０，２０，２０の間隔を保持して培地基盤１の植生面１０上に立設したものである。
図７で示す第４実施例のコケ植生体Ｄでは、突出体２として培地基盤１とは別部材の複数（２個）の柱体２１（角柱）が用いられ、この柱体２１を培地基盤１の角部に立設したものである。
図８で示す第５実施例のコケ植生体Ｅでは、突出体２として培地基盤１とは別部材の柱体２１（円柱）が用いられ、この柱体２１を培地基盤１の植生面１０上に立設したものである。
なお、本発明において、培地基盤１のサイズ（縦幅、横幅、厚さ）及び前記突出体２のサイズ（横幅、厚さ、高さ）は適宜に決定することができる。
【００１９】
次に、図９は第６実施例のコケ植生体Ｆを示す斜視図、図１０はこのコケ植生体Ｆの施工例を示す平面図である。
このコケ植生体Ｆは、突出体２が培地基盤１と一体の壁体２０に形成されたもので、培地基盤１の直角をなす２辺に壁体２０，２０が一体に立設されている。
施工に際しては、各コケ植生体Ｆを、その２辺の壁体２０，２０を同一の向きにして、多数のコケ植生体Ｆを敷き詰めていくもので、これにより、培地基盤１の四方を壁体２０で囲むようにしている。
なお、前記した第１実施例〜第５実施例で用いたような突出体２（壁体２０、柱体２１）を培地基盤１と一体に形成させることもできる。
【００２０】
次に、図１１は第７実施例のコケ植生体Ｇを示す一部断面図である。
このコケ植生体Ｇは、培地基盤１が、周囲が立壁１１ａにより囲まれた培地用容器１１に、上面を植生面１０に形成するように培地材１２を収容して形成されている。
前記培地用容器１１は、プラスチックや金属等で形成することができるし、軽量コンクリート等の多孔質素材を容器状に成型したものでもよい。
又、培地用容器１１に収容する培地材１２としは、多孔質素材を粒状にして、これをその粒状のまま収容してもよいし、又、多孔質素材を板状に成型したものを収容してもよいし、また、土や砂等収容してもよい。
なお、突出体２は、前記培地基盤１とは別部材に形成され、前記第１実施例〜第５実施例で用いたような突出体２（壁体２０、柱体２１）を用いることができる。
【００２１】
次に、図１２は第８実施例のコケ植生体Ｈを示す断面図である。
このコケ植生体Ｈは、突出体２が培地用容器１１の立壁１１ａと一体に形成されたもので、培地用容器１１の少なくとも１辺（２辺、３辺、４辺でもよい）の立壁１１ａを、培地基盤１の上面である植生面１０よりも上方に延長させて、その延長部分を突出体２として形成している。
【００２２】
次に、図１３は第９実施例のコケ植生体を示す一部断面図である。
このコケ植生体Ｋは、突出体２（壁体２０、柱体２１を問わない）の上面に土壌用ポット穴２ａが形成されたもので、この土壌用ポット穴２ａ内に多孔質素材と腐葉土などを混合した土壌２ｂを充填し、この土壌２ｂに植物２ｃ、例えば、乾燥に強いセダム類等を栽培させることができるようにしている。
前記土壌用ポット穴２ａとしては、角穴でも丸穴でもよく、又、１個でも複数個でもよい。
なお、セダム類には、繁殖すると、縦方向だけでなく横方向にも広がる種類があり、日向、日陰、風の澱み等、その周囲に複雑な環境が出現し、培地基盤１の植生面１０上及び突出体２の立面上に、コケ植物を繁殖させるに適した環境を作ることができる。
【００２３】
この突出体ポット穴にセダム類等を栽培し、緑化対象場所、例えばビルの屋上やベランダ等に施設した場合、立体的な景観、特に異種植物による変化のある景観を提供する事ができる。
【００２４】
上記のように形成されたコケ植生体の施工場所は、特定の栽培場所（例えば、遊休地等）にコケ植生体を布設して、そこでコケ植物を栽培させたのち、このコケ植物が植生した状態のコケ植生体を緑化対象場所、例えば、ビルの屋上やベランダ等に運んで布設させることで緑化を図るようにしてもよい。
コケ植物は、過乾燥の状態に置かれても枯死することなく休眠するもので、その生命力を利用して、コケ植物が付着したままのコケ植生（培地基盤１、突出体２）を運搬することが可能である。
従って、これをビルの屋上やベランダ、折半屋根や陸屋根に布設して水を与えれば、コケ植物は直ちに湿潤して生命活動を再開し、緑化を図ることができる。
なお、コケ植物は、壁際や垂直面部分でよく繁殖することから、培地基盤１の植生面１０から突出体２の立面に連なるようにコケ植物の繁殖を促すことができ、その繁殖面積を拡大できるし、景観的にも優れたものにできる。
【００２５】
又、コケ植生体の施工場所としては、コケ植物による緑化対象場所、例えば、ビルの屋上やベランダ等に直接にコケ植生体を布設して、そこでコケ植物を栽培させると同時に緑化を図るようにしてもよい。
【００２６】
【発明の効果】
以上説明してきたように、本発明のコケ植生体（請求項１）にあっては、培地基盤を多孔質素材で板状に成型したので、雨水や人工散水による水分を保水することができ、コケ植物の生育に必要な水分を確保できる。
また、培地基盤に突出体を組み合わせているため、この突出体によって培地基盤の上面に形成した植生面や突出体の立面に日陰を生じさせることができるし、風を遮ることになるため、培地基盤の植生面に風の澱みを生じさせることができる。
このようにして出現させた日陰や風の澱みによって、培地基盤及び突出体の乾燥を抑制し、湿潤で半日陰の状態、即ち、自然界でコケ植物が繁殖している環境を培地基盤の植生面や突出体の立面に出現させることができる。
【００２７】
即ち、ビルの屋上やベランダ、或いは折半屋根、陸屋根をコケ植物が自然界で育成している環境に近づけることによってコケ植物を培地基盤から突出体に連なって緻密に繁殖させることができ、軽量にして床単位面積当りの繁殖量を増大できる。
【００２８】
このようにしてコケ植物が繁殖したコケ植生体は、夏季には、ビルの屋上やベランダ等にあたる直射日光を遮ることから断熱効果を高めることができるし、また、短時間に集中する雨水をコケ植物と多孔質素材で成型した培地基盤によって保水して洪水を緩和し、保水した水分をコケ植物の生命活動を使用しながら長期間にわたって蒸発させることによって、その気化熱を利用して地温の上昇を抑えることができる。
冬季には、多孔質素材が保水した水の高い比熱がビル等の室内の保温に役立ち、年間を通して冷房と暖房の両方の電力を節約し、二酸化炭素の排出削減に寄与できる。
【００２９】
又、培地用容器に上面を植生面に形成するように培地材を収容して培地基盤を形成させると（請求項４）、培地材として多孔質素材の粒や砂、土等をそのまま収容できるため、必ずしも多孔質素材を板状に成型する必要がなくなり、培地基盤を板状に成型する手間を省くことができる。
又、多孔質素材を板状に成型したものを培地材として収容した場合、培地用容器によって多孔質素材の板状体を保持するため、この板状体の割れを防止できる。
【００３０】
突出体の上面に土壌用ポット穴を形成させると（請求項９）、培地基盤の植生面及び突出体の立面にコケ植物を繁殖させながら、土壌用ポット穴でセダム等の植部を育成でき、このセダム等の植物によって、日向、日陰、風の澱み等、その周囲に複雑な環境が出現し、培地基盤の植生面上及び突出体の立面上に、コケ植物を繁殖させるに適した環境を作ることができる。
また、セダム等の植物は、突出部に設けた土壌用ポット穴で育成するため、異種植物間（コケ植物との間に）に働く排他的作用を軽減し、セダム等の植物とコケ植部の両方を１つのコケ植生体で栽培させることができるし、このセダム等の植物によって立体的になるため、景観的にも優れたものにできる。
また、土壌用ポット穴に充填する土壌は、土壌用ポット穴内に収容されているため、土壌がビル等の屋上にこぼれることがないし、根が土壌用ポット穴から延び出ることがなく、土壌や根によって屋上に施工した防水層が傷つくことはない。
【００３１】
また、本発明による経済効果として、次の３点を挙げることができる。
先ず、第１点は、平面的に成型した培地基盤と突出体が共に固形化されているため、遊休地等を利用して予め栽培しておくことができる。繁殖までに時間を要するが、維持管理が簡単であるため、過疎化した農村の遊休地を利用して栽培することが最適で、農村産業の発展振興に寄与できる。
第２点は、コケ植物は乾燥しても枯死することなく休眠する、その強い生命力を利用して乾燥させて軽量化し、積み重ね輸送することが可能で、輸送手段の簡便性と輸送費用の軽減に寄与できる。
第３の点は、都市において、ビルの屋上やベランダ、或いは折半屋根、陸屋根等での設置が簡単でありながら、栽培状況を再現させ、水を与えると同時に屋上や屋根の緑化が完成するという設置費用の軽減に寄与できる。
【図面の簡単な説明】
【図１】第１実施例のコケ植生体を示す斜視図である。
【図２】このコケ植生体の施工例を示す平面図である。
【図３】このコケ植生体の作用説明図である。
【図４】このコケ植生体の作用説明図である。
【図５】第２実施例のコケ植生体を示す斜視図である。
【図６】第３実施例のコケ植生体を示す斜視図である。
【図７】第４実施例のコケ植生体を示す斜視図である。
【図８】第５実施例のコケ植生体を示す斜視図である。
【図９】第６実施例のコケ植生体を示す斜視図である。
【図１０】このコケ植生体の施工例を示す平面図である。
【図１１】第７実施例のコケ植生体を示す一部断面図である。
【図１２】第８実施例のコケ植生体を示す一部断面図である。
【図１３】第９実施例のコケ植生体を示す一部断面図である。
【符号の説明】
１  培地基盤
１０  植生面
１１  培地用容器
１１ａ  立壁
１２  培地材
２  突出体
２ａ  土壌用ポット穴
２ｂ  土壌
２ｃ  植物
２０  壁体
２１  柱体
Ａ  コケ植生体
Ｂ  コケ植生体
Ｃ  コケ植生体
Ｄ  コケ植生体
Ｅ  コケ植生体
Ｆ  コケ植生体
Ｇ  コケ植生体
Ｈ  コケ植生体
Ｋ  コケ植生体
Ｓ  日照
Ｗ  風
【図１】
0003577592.tif 000002
【図２】
0003577592.tif 000003
【図３】
0003577592.tif 000004
【図４】
0003577592.tif 000005
【図５】
0003577592.tif 000006
【図６】
0003577592.tif 000007
【図７】
0003577592.tif 000008
【図８】
0003577592.tif 000009
【図９】
0003577592.tif 000010
【図１０】
0003577592.tif 000011
【図１１】
0003577592.tif 000012
【図１２】
0003577592.tif 000013
【図１３】
0003577592.tif 000014